(57)【要約】【課題】一対の導子を備え、二点刺激により、筋肉の両端の受容器を同時に刺激して、効率良く筋肉の弛緩を促すことが出来る電子治療器を提供する。【解決手段】電子治療器１５は低周波電流発生器に接続された棒状の本体部１６と、該本体部１６の後端部から該本体部１６の長手方向に直交して突出する第１導子１７と、該第１導子１７と平行方向に突出し、且つ、前記本体部１６軸方向に形成された溝穴１８に摺動自在に設けられた第２導子１９とから成る。而して、前記電子治療器１５の第１導子１７を筋肉８の停止１４近傍の受容器１０に当て、第２導子１９を筋肉８の起始１３近傍の受容器９に当てて通電すると、該第１導子１７、前記受容器１０、筋肉８、前記受容器９及び前記第２導子１９間に低周波電流が流れ、該受容器１０及び該受容器９が刺激されて筋肉８が弛緩する。【選択図】  図１
2004167090.tif 000002
【特許請求の範囲】
【請求項１】
身体に接触させた導子から電流を流して身体の治療を行うように構成された電子治療器に於て、前記導子を一対の導子によって構成したことを特徴とする電子治療器。
【請求項２】
上記導子は局所接触可能な突設部を備えていることを特徴とする請求項１記載の電子治療器。
【請求項３】
上記一対の導子は導子間間隔を調節自在に構成されていることを特徴とする請求項１又は２記載の電子治療器。
【請求項４】
上記一対の導子は摺動手段によって導子間間隔を調節自在に構成されていることを特徴とする請求項３記載の電子治療器。
【請求項５】
上記一対の導子は回転手段によって導子間間隔を調節自在に構成されていることを特徴とする請求項３記載の電子治療器。
【請求項６】
上記一対の導子は可撓手段によって導子間間隔を調節自在に構成されていることを特徴とする請求項３記載の電子治療器。
【請求項７】
上記導子は可撓性コードに連結されていることを特徴とする請求項１，２，３，４，５又は６記載の電子治療器。
【発明の詳細な説明】
【０００１】
【発明の属する技術分野】
この発明は、電子治療器に関するものであり、特に、２つの導子間に低周波電流を流して身体の治療を効果的に行う電子治療器に関するものである。
【０００２】
【従来の技術】
従来の此種電子治療器を本願出願人は既に出願しており、該出願は１個の導子から電流を流して身体の適宜の部位を治療する電子治療器である（特許文献１参照）。そして、該電子治療器は電子治療器の把持部と頸部との境界部に於ける導子側に傾斜面を形成し、その傾斜面にスイッチを設けて、電子治療器を把持した手の親指又は人差し指にて該スイッチを操作できるように構成し、操作性を向上させたものである。
【０００３】
図４は、前記特許文献１に基づき本願出願人が実施した電子治療器１を示し、該電子治療器１は低周波電流発生器（図示せず）に接続コード２を介して接続された把持部３と、該把持部３の先端部に延設する棒状の延設部４とから成り、該延設部４の先端部に該延設部４の長手方向と略直交して突設する導子５が形成され、前記把持部４の先端部の該導子５側に傾斜面４ａが形成され，該傾斜面４ａにスイッチ６が押圧自在に形成されている。
【０００４】
而して、該電子治療器１の把持部３を手（図示せず）で把持して、該電子治療器１の導子５を、例えば、治療者７の腕の筋肉８の両端近傍に存在する受容器（センサ）９，１０のうち、一方の受容器９部分に当て、前記スイッチ６を押圧すると、前記導子５、前記受容器９、筋肉８、治療者７の体内、前記把持部３を把持する手及び該把持部３間に低周波電流が流れ、この時、前記導子５の先端から前記受容器９に電流が集中して流れることにより該受容器９が刺激される。
【０００５】
ここで、筋肉８の痛みやコリについて説明すると、筋肉８の収縮と弛緩は運動神経１１によって行われると共に、感覚神経１２の先端にある受容器９，１０からの信号によってもコントロールされている。痛みやコリがある時、筋肉８は収縮した状態にあり、血行も悪くなっている為、弛緩させる必要がある。筋肉８を弛緩させるためには、マッサージ等で筋肉８を直接揉みほぐすことが考えられるが、これだけでは充分でなく、筋肉８の収縮・弛緩をコントロールしている受容器９，１０を刺激すると効果的である。この弛緩を誘導する受容器９，１０は筋肉８の両端にある起始１３と停止１４に多く分布している。この筋肉８の起始１３と停止１４に分布する受容器９，１０を刺激することにより、筋肉８の弛緩を促すことができる。
【０００６】
そこで、前述の如く、前記電子治療器１によって前記受容器９が刺激されると前記筋肉８が弛緩して、痛みやコリ等を解消するマッサージ効果が得られる。
又、本願出願人は此種電子治療器を別に出願しており（特許文献２参照）、該出願は前記特許文献１に記載された電子治療器を改良し、患部に当てるピンポイント導子面を保水性を有する部材にて着脱可能に覆い、その部材に水を保水させた状態で導子を患部に当てることにより、患部と導子との間に水を供給し、この水によって導子の接触面積を拡大するように構成されている。
【０００７】
【特許文献１】
特開平１１−１４６９１８号公報  （第１−３頁、第１−３図）
【０００８】
【特許文献２】
特開平１１−１４６９２１号公報  （第１−４頁、第１−５図）
【０００９】
【発明が解決しようとする課題】
上記従来例の電子治療器は、何れも、１個の導子から電流を流して身体の適宜の部位を治療する電子治療器であり、電流は導子と把持部を握っている手の間を流れ、導子が接触する身体の治療部位に電流を集中的に流して刺激することにより治療を行うものである。
【００１０】
然しながら、前記電子治療器は１個の導子を有し、一点刺激であるため、例えば、筋肉の弛緩を促す場合に於ても、筋肉の一方の受容器のみに刺激を与えるため、比較的治療効率が悪いという問題がある。
【００１１】
そこで、一対の導子を備え、二点刺激により、筋肉の両端の受容器を同時に刺激して、効率良く筋肉の弛緩を促すことが出来る電子治療器を提供するために解決すべき技術的課題が生じてくるのであり、本発明はこの課題を解決することを目的とする。
【００１２】
【課題を解決するための手段】
本発明は上記目的を達成するために提案されたものであり、身体に接触させた導子から電流を流して身体の治療を行うように構成された電子治療器に於て、前記導子を一対の導子によって構成した電子治療器、
及び、上記導子は局所接触可能な突設部を備えている電子治療器、
及び、上記一対の導子は導子間間隔を調節自在に構成されている電子治療器、
及び、上記一対の導子は摺動手段によって導子間間隔を調節自在に構成されている電子治療器、
及び、上記一対の導子は回転手段によって導子間間隔を調節自在に構成されている電子治療器、
及び、上記一対の導子は可撓手段によって導子間間隔を調節自在に構成されている電子治療器、
並びに、上記導子は可撓性コードに連結されている電子治療器を提供するものである。
【００１３】
【発明の実施の形態】
以下、本発明の一実施の形態を図１乃至図３に従って詳述する。尚、説明の都合上、従来例と同一構成部分については同一符号を付してその説明を省略する。図１に於て、１５は電子治療器を示し、該電子治療器１５は棒状の本体部１６と、該本体部１６の後端部から該本体部１６の長手方向に直交して突出する第１導子１７と、該第１導子１７と平行方向に突出し、且つ、前記本体部１６軸方向に形成された摺動手段としての溝穴１８に摺動自在に設けられて該第１導子１７との導子間間隔を調節自在の第２導子１９とから成り、該第１導子１７及び該第２導子１９は夫々先端部が身体の局所に正確に接触させるべく突設部１７ａ，１９ａを備えている。
【００１４】
又、該第１導子１７と、該第２導子１９は、接続コード２０を介して低周波電流発生器（図示せず）に接続された可撓性コード２１，２２に夫々接続され、特に、該第２導子１９に接続される可撓性コード２２は摺動自在の該第２導子１９に追従自在に構成されている。
【００１５】
尚、前記可撓性コード２１は該可撓性コードに限定されることなく他の導体を用いることが可能であり、然る時も同様の効果が期待できると共に、又、前記可撓性コード２２は、前記第２導子１９が摺動した時、電気的接続が維持できるように構成された導体であれば、他の導体を用いることが可能であり、然る時も同様の効果が期待できる。
【００１６】
而して、該電子治療器１５の前記第２導子１９を前記第１導子１７から所定間隔離間させて、例えば、該第１導子１７を治療する筋肉８の停止１４近傍に当て、前記第２導子１９を該筋肉８の起始１３近傍に当て、前記電子治療器１５を通電すると、該第１導子１７、前記停止１４近傍の受容器１０、前記筋肉８、前記起始１３近傍の受容器９及び前記第２導子１９間に低周波電流が流れ、該受容器１０及び該受容器９が刺激されて筋肉８が弛緩される。
【００１７】
斯くして、前記電子治療器１５は前記第１導子１７及び第２導子１９によって筋肉８の両端にある受容器１０及び９の二点を刺激できるので、効果的に筋肉の弛緩を促すことができ、筋肉の弛緩により血行が良くなり、筋肉の痛みやコリを治療することができる。
【００１８】
又、前記第２導子１９が摺動自在に形成され、該第２導子１９と前記第１導子１７とが導子間間隔を調節自在に構成されているため、治療する筋肉の両端に存在する受容器の離間寸法に合わせて正確に調節でき、効果的に筋肉を弛緩させることができる。
【００１９】
尚、前記電子治療器１５による治療は、前述の受容器に対する治療に限定されず、他の患部に対する治療を行うことも可能である。
図２は他の実施例の電子治療器２３を示し、該電子治療器２３は回動手段としての支軸２４回りに回転自在に設けられた２つのレバー２５，２６の先端部に夫々導子２７，２８が設けられ、該導子２７，２８は夫々可撓性コード２９，３０に接続され、該可撓性コード２９，３０は接続コード３１を介して低周波電流発生器（図示せず）に接続されている。従って、該導子２７，２８は前記レバー２５，２６が回転することにより導子間間隔を調節自在となっており、前記溝穴１８を備えた前記電子治療器１５と同様の効果を奏することができる。
【００２０】
図３は更に他の実施例の電子治療器３２を示し、該電子治療器３２は可撓手段としての可撓レバー３３の両端部に夫々導子３４，３５が設けられ、該導子３４，３５は夫々可撓性コード３６，３７に接続され、該可撓性コード３６，３７は接続コード３８を介して低周波電流発生器（図示せず）に接続されている。従って、該導子３４，３５は前記可撓レバー３３が屈曲することにより導子間間隔を調節自在となっており、且つ、適宜方法により調節位置を保持できるように構成されており、前記電子治療器１５と同様の効果を奏することができる。
【００２１】
尚、本発明は、本発明の精神を逸脱しない限り種々の改変を為すことができ、そして、本発明が該改変されたものに及ぶことは当然である。
【００２２】
【発明の効果】
本発明は上記一実施の形態に詳述したように、請求項１記載の発明は、身体に接触させた導子から電流を流して身体の治療を行うように構成された電子治療器に於て、前記導子を一対の導子によって構成したので、該一対の導子によって筋肉の停止近傍の受容器と起始近傍の受容器に同時に二点接触させることにより効果的に筋肉の弛緩を促すことができ、筋肉の弛緩により血行が良くなり、筋肉の痛みやコリを治療できる。
【００２３】
又、請求項２記載の発明は、上記導子は局所接触可能な突設部を備えているので、請求項１記載の発明の効果に加え、該突設部によって治療する身体の局所に正確に接触させることができる。
【００２４】
更に、請求項３記載の発明は、上記一対の導子は導子間間隔を調節自在に構成されているので、請求項１又は２記載の発明の効果に加え、一対の導子を治療する筋肉の長さ、即ち、筋肉の両端の受容器の離間寸法に合わせて正確に調節でき、更に効果的に筋肉を弛緩させることができる。
【００２５】
更に又、請求項４記載の発明は、上記一対の導子は摺動手段によって導子間間隔を調節自在に構成されているので、該摺動手段によって導子間寸法を調節することにより請求項３記載の発明と同様の効果が期待できる。
【００２６】
そして、請求項５記載の発明は、上記一対の導子は回転手段によって導子間間隔を調節自在に構成されているので、該回転手段によって導子間寸法を調節することにより請求項３記載の発明と同様の効果が期待できる。
【００２７】
又、請求項６記載の発明は、上記一対の導子は可撓手段によって導子間間隔を調節自在に構成されているので、該可撓手段によって導子間寸法を調節することにより請求項３記載の発明と同様の効果が期待できる。
【００２８】
更に、請求項７記載の発明は、上記導子は可撓性コードに連結されているので、請求項１，２，３，４，５又は６記載の発明の効果に加え、前記可撓性コードによって導子の変位に追従できる等、正に著大なる効果を奏する発明である。
【図面の簡単な説明】
【図１】本発明の一実施の形態を示し、電子治療器による治療状態を示す説明図。
【図２】本発明の他の実施の形態を示し、電位治療器の正面図。
【図３】本発明の更に他の実施の形態を示し、電位治療器の正面図。
【図４】従来例を示し、電子治療器による治療状態を示す説明図。
【符号の説明】
１５，２３，３２                    電子治療器
１７ａ，１９ａ                      突設部
２１，２２，２９，３０，３６，３７  可撓性コード
【図１】
2004167090.tif 000003
【図２】
2004167090.tif 000004
【図３】
2004167090.tif 000005
【図４】
2004167090.tif 000006